【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
粉末冶金のための粒子複合潤滑剤であって、
少なくとも約９０重量％の脂肪質の一次モノアミドワックスを含んでいて、脂肪質のビスアミドワックスを実質的に含まず、そして金属酸化物のナノ粒子で少なくとも部分的に被覆された第一の離散粒子、および
脂肪質のビスアミドワックスを含んでいる第二の金属ステアリン酸塩非含有離散粒子、
を含む、上記粒子複合潤滑剤。
【請求項２】
粒子複合潤滑剤が、約１０重量％と約６０重量％の間の第一の離散粒子と約４０重量％と約９０重量％の間の第二の離散粒子を含む、請求項１に記載の粒子複合潤滑剤。
【請求項３】
第一の離散粒子は本質的に、金属酸化物のナノ粒子で少なくとも部分的に被覆された脂肪質の一次モノアミドワックスから成る、請求項１または２に記載の粒子複合潤滑剤。
【請求項４】
第二の離散粒子は少なくとも約５０重量％の脂肪質のビスアミドワックスと約１０重量％未満の脂肪質の一次モノアミドワックスをさらに含む、請求項１〜３のいずれかに記載の粒子複合潤滑剤。
【請求項５】
第二の離散粒子は少なくとも約９０重量％の脂肪質のビスアミドワックスをさらに含む、請求項１〜４のいずれかに記載の粒子複合潤滑剤。
【請求項６】
金属酸化物のナノ粒子が、酸化鉄、ヒュームドシリカ、ＴｉＯ２、Ａｌ２Ｏ３、ＳｎＯ２、ＳｉＯ２、ＣｅＯ２、および酸化インジウムチタンのナノ粒子、およびこれらの組み合わせのうちの少なくとも一つを含む、請求項１〜５のいずれかに記載の粒子複合潤滑剤。
【請求項７】
第一の離散粒子は約５重量％未満の金属酸化物のナノ粒子を含む、請求項１〜６のいずれかに記載の粒子複合潤滑剤。
【請求項８】
第一の離散粒子の実質的にすべてが約２５０μｍよりも小さく、第二の離散粒子の平均粒径が約５０μｍよりも小さい、請求項１〜７のいずれかに記載の粒子複合潤滑剤。
【請求項９】
少なくとも部分的に被覆された第一の離散粒子は約１５μｍと約１００μｍの間の平均粒径を有する、請求項１〜８のいずれかに記載の粒子複合潤滑剤。
【請求項１０】
第二の離散粒子は実質的に金属を含まない、請求項１〜９のいずれかに記載の粒子複合潤滑剤。
【請求項１１】
請求項１〜１０のいずれかに記載の粒子複合潤滑剤を約０．１重量％と約５重量％の間の範囲にある濃度で混合した金属をベースとする粉末を含む冶金用粉末組成物。
【請求項１２】
粉末冶金のための粉末組成物を製造するための方法であって、請求項１〜１０のいずれかに記載の粒子複合潤滑剤を粉末組成物の全重量に基づいて約０．１重量％と約５重量％の間の範囲にある濃度で金属をベースとする粉末に添加することを含む、前記方法。
【請求項１３】
粉末冶金のための粒子複合潤滑剤であって、
脂肪質の一次モノアミドワックスを含んでいて、脂肪質のビスアミドワックスを実質的に含まず、そして金属酸化物のナノ粒子で少なくとも部分的に被覆された第一の離散粒子（この少なくとも部分的に被覆された第一の離散粒子は約１５μｍと約１００μｍの間の平均粒径を有する）と、
脂肪質のビスアミドワックスを含んでいて、約５０μｍよりも小さな平均粒径を有する第二の金属ステアリン酸塩非含有離散粒子と、
を含む、前記粒子複合潤滑剤。
【請求項１４】
粒子複合潤滑剤が、約１０重量％と約６０重量％の間の第一の離散粒子を含み、第１の離散粒子が約９０重量％以上の脂肪質の一次モノアミドワックスを含む、請求項１３に記載の粒子複合潤滑剤。
【請求項１５】
粒子複合潤滑剤は約４０重量％と約９０重量％の間の第二の離散粒子を含む、請求項１３または１４に記載の粒子複合潤滑剤。
【請求項１６】
第一の離散粒子は本質的に、金属酸化物のナノ粒子で少なくとも部分的に被覆された脂肪質の一次モノアミドワックスから成る、請求項１３〜１５のいずれかに記載の粒子複合潤滑剤。
【請求項１７】
第二の離散粒子はさらに、少なくとも約５０重量％の脂肪質のビスアミドワックスと約１０重量％未満の脂肪質の一次モノアミドワックスを含む、請求項１３〜１６のいずれかに記載の粒子複合潤滑剤。
【請求項１８】
第二の離散粒子はさらに、少なくとも約９０重量％の脂肪質のビスアミドワックスを含む、請求項１３〜１７のいずれかに記載の粒子複合潤滑剤。
【請求項１９】
第二の離散粒子は実質的に金属を含まない、請求項１３〜１８のいずれかに記載の粒子複合潤滑剤。
【請求項２０】
金属酸化物のナノ粒子が、酸化鉄、ヒュームドシリカ、ＴｉＯ２、Ａｌ２Ｏ３、ＳｎＯ２、ＳｉＯ２、ＣｅＯ２、および酸化インジウムチタンのナノ粒子、およびこれらの組み合わせのうちの少なくとも一つを含む、請求項１３〜１９のいずれかに記載の粒子複合潤滑剤。
【請求項２１】
約０．１重量％と約５重量％の間の範囲にある濃度の請求項１３〜２０のいずれかに記載の粒子複合潤滑剤と混合した金属をベースとする粉末を含む冶金用粉末組成物。 
【手続補正２】
【補正対象書類名】明細書
【補正対象項目名】０１４１
【補正方法】変更
【補正の内容】
【０１４１】
幾つかの選択的な態様と実施例について、ここで記述して例証した。上で説明した本発明の態様は典型的なものにすぎない。当業者であれば、個々の態様の特徴点および構成要素の可能な組み合わせと変形を認識できるだろう。当業者であればさらに、各態様のいずれも、ここで開示された他の態様と任意に組み合わせた形で提供することができる、ということを認識できるだろう。本発明はその精神または主要な特徴から逸脱することなく他の特定の形態で具現化することができる、ということを理解されたい。従って、ここでの実施例と態様は、あらゆる点で例示的なものであって限定的なものではないと考えるべきであり、また本発明はここで示した詳細には限定されない。よって、特定の態様について例示して説明したが、本発明の精神から著しく逸脱することなく、多数の変形が想起される。従って、本発明の範囲は添付する特許請求の範囲によってのみ限定されるべきである。
（１）  粉末冶金のための粒子複合潤滑剤であって、少なくとも約９０重量％の脂肪質の一次モノアミドワックスを含んでいて、脂肪質のビスアミドワックスを実質的に含まず、そして金属酸化物のナノ粒子で少なくとも部分的に被覆された第一の離散粒子、および、脂肪質のビスアミドワックスを含んでいる第二の金属ステアリン酸塩非含有離散粒子、
を含む、上記粒子複合潤滑剤。
（２）  粒子複合潤滑剤は約１０重量％と約６０重量％の間の第一の離散粒子を含む、（１）に記載の粒子複合潤滑剤。
（３）  粒子複合潤滑剤は約４０重量％と約９０重量％の間の第二の離散粒子を含む、（１）または（２）に記載の粒子複合潤滑剤。
（４）  第一の離散粒子は本質的に、金属酸化物のナノ粒子で少なくとも部分的に被覆された脂肪質の一次モノアミドワックスから成る、（１）〜（３）のいずれかに記載の粒子複合潤滑剤。
（５）  第一の離散粒子は、金属酸化物のナノ粒子で少なくとも部分的に被覆された脂肪質の一次モノアミドワックスから成る、（１）〜（３）のいずれかに記載の粒子複合潤滑剤。
（６）  第二の離散粒子は少なくとも約５０重量％の脂肪質のビスアミドワックスと約１０重量％未満の脂肪質の一次モノアミドワックスをさらに含む、（１）〜（５）のいずれかに記載の粒子複合潤滑剤。
（７）  第二の離散粒子は少なくとも約９０重量％の脂肪質のビスアミドワックスをさらに含む、（１）〜（５）のいずれかに記載の粒子複合潤滑剤。
（８）  第二の離散粒子は本質的に脂肪質のビスアミドワックスから成る、（１）〜（５）のいずれかに記載の粒子複合潤滑剤。
（９）  第二の離散粒子の脂肪質のビスアミドワックスは少なくとも２種の脂肪質のビスアミドワックスを含む、（１）〜（８）のいずれかに記載の粒子複合潤滑剤。
（１０）  脂肪質の一次モノアミドワックスは１２〜２４個の炭素の脂肪酸のモノアミドである、（１）〜（９）のいずれかに記載の粒子複合潤滑剤。
（１１）  モノアミドはラウラミド、パルミトアミド、ステアラミド、アラキドアミド、ベヘンアミド、オレアミド、エルクアミド、およびこれらの組み合わせからなる群から選択される、（１０に記載の粒子複合潤滑剤。
（１２）  金属酸化物のナノ粒子は酸化鉄、ＴｉＯ２、Ａｌ２Ｏ３、ＳｎＯ２、ＳｉＯ２、ＣｅＯ２、および酸化インジウムチタンのナノ粒子、およびこれらの組み合わせのうちの少なくとも一つを含む、（１）〜（１１）のいずれかに記載の粒子複合潤滑剤。
（１３）  金属酸化物のナノ粒子はヒュームドシリカのナノ粒子を含む、（１）〜（１１）のいずれかに記載の粒子複合潤滑剤。
（１４）  第一の離散粒子は約５重量％未満の金属酸化物のナノ粒子を含む、（１）〜（１３）のいずれかに記載の粒子複合潤滑剤。
（１５）  第一の離散粒子は約２５０μｍよりも小さい、（１）〜（１４）のいずれかに記載の粒子複合潤滑剤。
（１６）  少なくとも部分的に被覆された第一の離散粒子は約１５μｍと約１００μｍの間の平均粒径を有する、（１）〜（１５）のいずれかに記載の粒子複合潤滑剤。
（１７）  少なくとも部分的に被覆された第一の離散粒子のＤ９９は約８０μｍと約２２０μｍの間である、（１）〜（１６）のいずれかに記載の粒子複合潤滑剤。
（１８）  脂肪質のビスアミドワックスはメチレンビスオレアミド、メチレンビスステアラミド、エチレンビスオレアミド、ヘキシレンビスステアラミド、およびエチレンビスステアラミド（ＥＢＳ）、およびこれらの混合物からなる群から選択される脂肪酸ビスアミドである、（１）〜（１７）のいずれかに記載の粒子複合潤滑剤。
（１９）  第二の離散粒子は約５０μｍよりも小さな平均粒径を有する、（１）〜（１８）のいずれかに記載の粒子複合潤滑剤。
（２０）  第二の離散粒子のＤ９９は約２００μｍよりも小さい、（１）〜（１９）のいずれかに記載の粒子複合潤滑剤。
（２１）  第二の離散粒子は実質的に金属を含まない、（１）〜（２０）のいずれかに記載の粒子複合潤滑剤。
（２２）  第一の離散粒子はエルクアミドの粒子を含み、金属酸化物のナノ粒子はヒュームドシリカのナノ粒子を含み、そして第二の離散粒子はエチレンビスステアラミドの粒子を含む、（１）に記載の粒子複合潤滑剤。
（２３）  粒子複合潤滑剤は、約１０重量％と約６０重量％の間のエルクアミドの粒子と約４０重量％と約９０重量％の間のエチレンビスステアラミドの粒子を含む、（２２）に記載の粒子複合潤滑剤。
（２４）  エルクアミドの粒子は約６０μｍの平均粒径と約１７５μｍよりも小さな直径を有する、（２２）または（２３）に記載の粒子複合潤滑剤。
（２５）  （１）〜（２４）のいずれかに記載の粒子複合潤滑剤を約０．１重量％と約５重量％の間の範囲にある濃度で混合した金属をベースとする粉末を含む冶金用粉末組成物。
（２６）  金属をベースとする粉末は鉄をベースとする粉末である、（２５）に記載の冶金用粉末組成物。
（２７）  粉末冶金のための粉末組成物を製造するための方法であって、（１）〜（２４）のいずれかに記載の粒子複合潤滑剤を粉末組成物の全重量に基づいて約０．１重量％と約５重量％の間の範囲にある濃度で金属をベースとする粉末に添加することを含む、前記方法。
（２８）  金属をベースとする粉末は鉄をベースとする粉末である、（２７）に記載の方法。
（２９）  粉末冶金のための粒子複合潤滑剤であって、脂肪質の一次モノアミドワックスを含んでいて、脂肪質のビスアミドワックスを実質的に含まず、そして金属酸化物のナノ粒子で少なくとも部分的に被覆された第一の離散粒子（この少なくとも部分的に被覆された第一の離散粒子は約１５μｍと約１００μｍの間の平均粒径を有する）と、脂肪質のビスアミドワックスを含んでいて、約５０μｍよりも小さな平均粒径を有する第二の金属ステアリン酸塩非含有離散粒子とを含む、前記粒子複合潤滑剤。
（３０）  少なくとも部分的に被覆された第一の離散粒子は約２５μｍと約７５μｍの間の平均粒径を有する、（２９）に記載の粒子複合潤滑剤。
（３１）  少なくとも部分的に被覆された第一の離散粒子のＤ９９は約８０μｍと約２２０μｍの間である、（２９）または（３０）に記載の粒子複合潤滑剤。
（３２）  少なくとも部分的に被覆された第一の離散粒子のＤ９９は約１１５μｍと約１８０μｍの間である、（２９）〜（３０）のいずれかに記載の粒子複合潤滑剤。
（３３）  第二の離散粒子は約１５μｍよりも小さな平均粒径を有する、（２９）〜（３２）のいずれかに記載の粒子複合潤滑剤。
（３４）  第二の離散粒子のＤ９９は約２００μｍよりも小さい、（２９）〜（３３）のいずれかに記載の粒子複合潤滑剤。
（３５）  第二の離散粒子のＤ９９は約１５０μｍよりも小さい、（２９）〜（３３）のいずれかに記載の粒子複合潤滑剤。
（３６）  第一の離散粒子は少なくとも約９０重量％の脂肪質の一次モノアミドワックスを含む、（２９）〜（３５）のいずれかに記載の粒子複合潤滑剤。
（３７）  粒子複合潤滑剤は約１０重量％と約６０重量％の間の第一の離散粒子を含む、（２９）〜（３６）のいずれかに記載の粒子複合潤滑剤。
（３８）  粒子複合潤滑剤は約４０重量％と約９０重量％の間の第二の離散粒子を含む、（２９）〜（３７）のいずれかに記載の粒子複合潤滑剤。
（３９）  第一の離散粒子は本質的に、金属酸化物のナノ粒子で少なくとも部分的に被覆された脂肪質の一次モノアミドワックスから成る、（２９）〜（３８）のいずれかに記載の粒子複合潤滑剤。
（４０）  第一の離散粒子は、金属酸化物のナノ粒子で少なくとも部分的に被覆された脂肪質の一次モノアミドワックスから成る、（２９）〜（３８）のいずれかに記載の粒子複合潤滑剤。
（４１）  第二の離散粒子はさらに、少なくとも約５０重量％の脂肪質のビスアミドワックスと約１０重量％未満の脂肪質の一次モノアミドワックスを含む、（２９）〜（４０）のいずれかに記載の粒子複合潤滑剤。
（４２）  第二の離散粒子はさらに、少なくとも約９０重量％の脂肪質のビスアミドワックスを含む、（２９）〜（４０）のいずれかに記載の粒子複合潤滑剤。
（４３）  第二の離散粒子は本質的に脂肪質のビスアミドワックスから成る、（２９）〜（４０）のいずれかに記載の粒子複合潤滑剤。
（４４）  第二の離散粒子は実質的に金属を含まない、（２９）〜（４３）のいずれかに記載の粒子複合潤滑剤。
（４５）  脂肪質の一次モノアミドワックスは１２〜２４個の炭素の脂肪酸のモノアミドである、（２９）〜（４４）のいずれかに記載の粒子複合潤滑剤。
（４６）  モノアミドはラウラミド、パルミトアミド、ステアラミド、アラキドアミド、ベヘンアミド、オレアミド、エルクアミド、およびこれらの組み合わせからなる群から選択される、（４５）に記載の粒子複合潤滑剤。
（４７）  金属酸化物のナノ粒子は酸化鉄、ＴｉＯ２、Ａｌ２Ｏ３、ＳｎＯ２、ＳｉＯ２、ＣｅＯ２、および酸化インジウムチタンのナノ粒子、およびこれらの組み合わせのうちの少なくとも一つを含む、（２９）〜（４６）のいずれかに記載の粒子複合潤滑剤。
（４８）  金属酸化物のナノ粒子はヒュームドシリカのナノ粒子を含む、（２９）〜（４６）のいずれかに記載の粒子複合潤滑剤。
（４９）  第一の離散粒子は約５重量％未満の金属酸化物のナノ粒子を含む、（２９）〜（４８）のいずれかに記載の粒子複合潤滑剤。
（５０）  第一の離散粒子は約２５０μｍよりも小さい、（２９）〜（４９）のいずれかに記載の粒子複合潤滑剤。
（５１）  脂肪質のビスアミドワックスはメチレンビスオレアミド、メチレンビスステアラミド、エチレンビスオレアミド、ヘキシレンビスステアラミド、およびエチレンビスステアラミド（ＥＢＳ）、およびこれらの混合物からなる群から選択される脂肪酸ビスアミドである、（２９）〜（５０）のいずれかに記載の粒子複合潤滑剤。
（５２）  第二の離散粒子は約５０μｍよりも小さな平均粒径を有する、（２９）〜（５１）のいずれかに記載の粒子複合潤滑剤。
（５３）  第一の離散粒子はエルクアミドの粒子を含み、金属酸化物のナノ粒子はヒュームドシリカのナノ粒子を含み、そして第二の離散粒子はエチレンビスステアラミドの粒子を含む、（２９）に記載の粒子複合潤滑剤。
（５４）  粒子複合潤滑剤は、約１０重量％と約６０重量％の間のエルクアミドの粒子と約４０重量％と約９０重量％の間のエチレンビスステアラミドの粒子を含む、（５３）に記載の粒子複合潤滑剤。
（５５）  エルクアミドの粒子は約６０μｍの平均粒径と約１７５μｍよりも小さな直径を有する、（５３）または（５４）に記載の粒子複合潤滑剤。
（５６）  約０．１重量％と約５重量％の間の範囲にある濃度の（２９）〜（４４）のいずれかに記載の粒子複合潤滑剤と混合した金属をベースとする粉末を含む冶金用粉末組成物。
（５７）  金属をベースとする粉末は鉄をベースとする粉末である、（５６）に記載の冶金用粉末組成物。
（５８）  粉末冶金のための粉末組成物を製造するための方法であって、（２９）〜（４４）のいずれかに記載の粒子複合潤滑剤を粉末組成物の全重量に基づいて約０．１重量％と約５重量％の間の範囲にある濃度で金属をベースとする粉末に添加することを含む、前記方法。
（５９）  金属をベースとする粉末は鉄をベースとする粉末である、（５８）に記載の方法。
（６０）  粉末冶金のための粒子複合潤滑剤であって、モンタン酸エステルワックスと少なくとも一つの脂肪質のアミドワックスを含み、脂肪質のアミドワックスは脂肪質のモノアミドワックスと脂肪質のビスアミドワックスのうちの少なくとも一つを含む、前記粒子複合潤滑剤。
（６１）  モンタン酸エステルワックスを含む第一の離散粒子を含む、（６０）に記載の粒子複合潤滑剤。
（６２）  第一の離散粒子はさらに脂肪質のモノアミドワックスを含み、そしてその脂肪質のモノアミドワックスは脂肪質の一次モノアミドワックスを含む、（６１）に記載の粒子複合潤滑剤。
（６３）  さらに第二の離散粒子を含み、その第二の離散粒子は、脂肪質のビスアミドワックス、脂肪質のモノアミドワックス、グリセリド、モンタン酸エステルワックス、パラフィンワックス、ポリオレフィン、ポリアミド、ポリエステル、およびこれらの混合物からなる群から選択される有機質で金属を含まない粉末潤滑剤を含む、（６１）または（６２）に記載の粒子複合潤滑剤。
（６４）  脂肪質のビスアミドワックスを含む第二の離散粒子をさらに含む、（６１）または（６２）に記載の粒子複合潤滑剤。
（６５）  第二の離散粒子はさらにモンタン酸エステルワックスを含む、（６４）に記載の粒子複合潤滑剤。
（６６）  第一の離散粒子は金属酸化物のナノ粒子で少なくとも部分的に被覆されている、（６２）〜（６５）のいずれかに記載の粒子複合潤滑剤。
（６７）  第一の離散粒子はさらに脂肪質のビスアミドワックスを含む、（６１）に記載の粒子複合潤滑剤。
（６８）  脂肪質のビスアミドワックス、脂肪質のモノアミドワックス、グリセリド、モンタン酸エステルワックス、パラフィンワックス、ポリオレフィン、ポリアミド、ポリエステル、およびこれらの混合物からなる群から選択される有機質で金属を含まない粉末潤滑剤を含む第二の離散粒子をさらに含む、（６７）に記載の粒子複合潤滑剤。
（６９）  脂肪質のモノアミドワックスを含む第二の離散粒子をさらに含み、その脂肪質のモノアミドワックスは脂肪質の一次モノアミドワックスを含む、（６７）に記載の粒子複合潤滑剤。
（７０）  第二の離散粒子は金属酸化物のナノ粒子で少なくとも部分的に被覆されている、（６９）に記載の粒子複合潤滑剤。
（７１）  第一の離散粒子と第二の離散粒子を含み、第一の離散粒子はモンタン酸エステルワックスとエルクアミドを含む脂肪質のモノアミドワックスとを含み、そして第二の離散粒子はエチレンビスステアラミドを含む、（６０）に記載の粒子複合潤滑剤。
（７２）  第一の離散粒子は金属酸化物のナノ粒子で少なくとも部分的に被覆されている、（７１）に記載の粒子複合潤滑剤。
（７３）  第二の離散粒子はさらにモンタン酸エステルワックスを含む、（７１）または（７２）に記載の粒子複合潤滑剤。
（７４）  モンタン酸エステルワックスとエチレンビスステアラミドを含む脂肪質のビスアミドワックスとを含む第一の離散粒子を含む、（６０）に記載の粒子複合潤滑剤。
（７５）  エルクアミドを含む第二の離散粒子をさらに含む、（７４）に記載の粒子複合潤滑剤。
（７６）  第二の離散粒子は金属酸化物のナノ粒子で少なくとも部分的に被覆されている、（７５）に記載の粒子複合潤滑剤。
（７７）  第二の離散粒子はさらにモンタン酸エステルワックスを含む、（７５）または（７６）に記載の粒子複合潤滑剤。
（７８）  粒子複合潤滑剤には第二の離散粒子が含まれていない、（７４）に記載の粒子複合潤滑剤。
（７９）  モンタン酸エステルワックスとエルクアミドを含む脂肪質のモノアミドワックスとを含む第一の離散粒子を含み、そして第二の離散粒子を含まない、（６０）に記載の粒子複合潤滑剤。
（８０）  第一の離散粒子は金属酸化物のナノ粒子で少なくとも部分的に被覆されている、（７９）に記載の粒子複合潤滑剤。
（８１）  モンタン酸エステルワックスを含む第一の離散粒子と少なくとも一つの脂肪質のアミドワックスを含む第二の離散粒子とを含む、（６０）に記載の粒子複合潤滑剤。
（８２）  脂肪質のビスアミドワックス、脂肪質のモノアミドワックス、グリセリド、パラフィンワックス、ポリオレフィン、ポリアミド、ポリエステル、およびこれらの混合物からなる群から選択される有機質で金属を含まない粉末潤滑剤を含む第三の離散粒子をさらに含む、（８１）に記載の粒子複合潤滑剤。
（８３）  粒子複合潤滑剤はステアリン酸塩を含まない、（６０）〜（７０）のいずれかに記載の粒子複合潤滑剤。
（８４）  約１０重量％と約９９．５重量％の間の少なくとも一つの脂肪質のアミドワックスを含む、（６０）に記載の粒子複合潤滑剤。
（８５）  約０．５重量％と約９０重量％の間のモンタン酸エステルワックスを含む、（６０）に記載の粒子複合潤滑剤。
（８６）  粒子複合潤滑剤の残りの部分は少なくとも一つの脂肪質のアミドワックスを含む、（８５）に記載の粒子複合潤滑剤。
（８７）  残りの部分は金属酸化物のナノ粒子のコーティングを含む、（８６）に記載の粒子複合潤滑剤。
（８８）  少なくとも一つの脂肪質のアミドワックスは、一次モノアミドワックス、二次モノアミドワックス、ビスアミドワックス、およびこれらの混合物からなる群から選択される、（６０）〜（８５）のいずれかに記載の粒子複合潤滑剤。
（８９）  脂肪質のアミドワックスは、ラウラミド、パルミトアミド、ステアラミド、オレアミド、アラキドアミド、ベヘンアミド、エルクアミド、ステアリルステアラミド、ステアリルオレアミド、ステアリルエルクアミド、オレイルパルミトアミド、オレイルステアラミド、エルシルステアラミド、エルシルエルクアミド、エチレンビスステアラミド、エチレンビスオレアミド、ヘキサメチレンビスステアラミド、およびこれらの混合物からなる群から選択される、（６０）〜（８８）のいずれかに記載の粒子複合潤滑剤。
（９０）  粒子複合潤滑剤は、少なくとも一つの脂肪質のアミドワックスとモンタン酸エステルワックスを溶融させ、次いで、少なくとも一つの脂肪質のアミドワックスとモンタン酸エステルワックスを冷却および粉砕して離散した粒子にすることによって得られる、（６０）〜（８９）のいずれかに記載の粒子複合潤滑剤。
（９１）  粒子複合潤滑剤は、少なくとも一つの脂肪質のアミドワックスとモンタン酸エステルワックスを溶融させ、次いで、少なくとも一つの脂肪質のアミドワックスとモンタン酸エステルワックスを霧化して離散した粒子にすることによって得られる、（６０）〜（８９）のいずれかに記載の粒子複合潤滑剤。
（９２）  モンタン酸エステルワックスを含む第一の離散粒子と脂肪質のアミドワックスを含む第二の離散粒子とを含む、（６０）に記載の粒子複合潤滑剤。
（９３）  脂肪質のアミドワックスの第二の離散粒子は、金属酸化物のナノ粒子で少なくとも部分的に被覆されている、（９２）に記載の粒子複合潤滑剤。
（９４）  金属酸化物のナノ粒子はヒュームドシリカのナノ粒子を含む、（９３）に記載の粒子複合潤滑剤。
（９５）  脂肪質のビスアミドワックス、脂肪質のモノアミドワックス、グリセリド、モンタン酸エステルワックス、パラフィンワックス、ポリオレフィン、ポリアミド、ポリエステル、およびこれらの混合物からなる群から選択される有機質で金属を含まない粉末潤滑剤を含む第三の離散粒子をさらに含む、（９２）〜（９４）のいずれかに記載の粒子複合潤滑剤。
（９６）  （６０）〜（９５）のいずれかに記載の粒子複合潤滑剤と混合した金属をベースとする粉末を含む冶金用粉末組成物。
（９７）  金属をベースとする粉末は鉄をベースとする粉末である、（９６）に記載の冶金用粉末組成物。
（９８）  粉末冶金のための粉末組成物を製造するための方法であって、（６０）〜（９５）のいずれかに記載の粒子複合潤滑剤を粉末組成物の全重量に基づいて約０．１重量％と約５重量％の間の範囲にある濃度で金属をベースとする粉末に添加することを含む、前記方法。
（９９）  金属をベースとする粉末は鉄をベースとする粉末である、（９８）に記載の方法。